(57)【特許請求の範囲】
【請求項１】
上面板と下面板とがそれらの両側縁どうしが接合されて端部が開口する筒部を形成し、かつ、上記上面板と下面板には払拭材が取付けられてなり、上記筒部の開口から保持具のヘッド部を挿入して使用する清掃部材であって、
上記筒部における少なくとも上記開口の近傍には、この筒部の内部空間を上下に仕切り、当該上下に仕切られた領域のいずれかに上記ヘッド部を挿入して上記保持具に設けられたロック機構によって挟持するための仕切り壁が形成されていることを特徴とする、清掃部材。
【請求項２】
上面板と下面板とがそれらの両側縁どうしが接合されて端部が開口する筒部を形成し、かつ、上記上面板と下面板には払拭材が取付けられてなる清掃部材と、
柄、およびこの柄の先端から板状に延び、上記清掃部材の筒部にその開口から挿入されて上記清掃部材を保持するヘッド部、をもつ保持具と、を備えた清掃具であって、
上記清掃部材の上記筒部における少なくとも上記開口の近傍には、この筒部の内部空間を上下に仕切る仕切り壁が形成されている一方、
上記保持具には、上記ヘッド部が上記清掃部材の筒部に挿入された状態において、上記仕切り壁を挟持してその移動を阻止することができるロック機構が設けられていることを特徴とする、清掃具。
【請求項３】
上記ロック機構は、上記ヘッド部の基端から二股状に延びる延出片を含み、上記ヘッド部の基端部と上記延出片との間に上記仕切り壁を位置させた状態においてこの仕切り壁を挟持するように構成されている、請求項２に記載の清掃具。
【請求項４】
上記ロック機構は、レバーの操作によって上記ヘッド部または上記延出片に向けて押圧され、上記ヘッド部または上記延出片との間に上記仕切り壁を挟持する可動片を備えている、請求項３に記載の清掃具。
【請求項５】
上記可動片は、上記ヘッド部の基端部に形成したスリット内の基端において横軸を中心として回動可能に配置され、上記レバーの操作によって上記延出片の内面に押圧される、請求項４に記載の清掃具。
【請求項６】
上記可動片の先端には、上記延出片の内面に向けて突出するフック爪が形成されている、請求項５に記載の清掃具。
【請求項７】
上記可動片は、上記横軸より後方に延出する作動片を備える一方、
上記レバーは、第２の横軸を中心として回動可能であるとともに凸部を有し、上記レバーを所定方向に回動操作すると上記凸部が上記作動片を押圧して上記可動片を上記延出片の内面に向けて押圧した状態でロックし、上記レバーを上記所定方向と逆方向に回動操作すると上記凸部の上記作動片に対する押圧状態が解除されるように構成されている、請求項５または６に記載の清掃具。
【発明の詳細な説明】
【技術分野】
【０００１】
本発明は、清掃部材、およびこの清掃部材とこれを保持する保持具とを備えた清掃具に関する。
【背景技術】
【０００２】
室内の清掃などに用いられる清掃具としては、清掃部材と、この清掃部材を保持するための保持具とを備えたものが知られている（たとえば、特許文献１を参照）。特許文献１に記載されている清掃具は、同文献の図１または図２に表されているように、柄およびこの柄の先端に設けられたヘッド部を有する保持具（清掃具２）と、保持具に対して着脱可能に装着される清掃部材（清掃布１）とを備えたハンディタイプのものである。清掃部材は、重なり合う上面板と下面板（内層シート１２，１２）の適所が接合されて形成された袋状部と、この袋状部の外周面に設けられた払拭材（外層シート１１，１１）とを備えている。この清掃部材は、袋状部の端部に形成された開口を通じて保持具のヘッド部を袋状部の内部空間に挿入することによって、保持具に保持される。清掃作業の際には、保持具の柄を握りながら清掃部材の払拭材によって清掃対象物を擦ることにより、清掃対象物の汚れを拭い取ることができる。清掃作業によって清掃部材が汚れた場合には、当該清掃部材を保持具から取り外し、新品に交換する、あるいは洗浄後の清掃部材に交換することにより、繰り返し清掃作業を行うことができる。
【０００３】
しかしながら、上記構成の清掃具においては、清掃部材は保持具のヘッド部が袋状部の内部に挿入されているだけであるので、清掃作業時に清掃部材を清掃対象物に強く擦り付けるなどすると、清掃部材が保持具からずれてしまう場合がある。このようなことでは、位置ずれする度に清掃部材を装着し直す必要があり、使い勝手が悪いものとなってしまう。
【０００４】
【特許文献１】特開２０００−２０１８７５号公報
【発明の開示】
【発明が解決しようとする課題】
【０００５】
本発明は、このような事情のもとで考え出されたものであって、上下両面に払拭材が取り付けられた清掃部材について、当該清掃部材を適確に保持した状態で使用可能とすることを課題としている。
【課題を解決するための手段】
【０００６】
上記の課題を解決するため、本発明では、次の技術的手段を講じている。
【０００７】
本発明の第１の側面によって提供される清掃部材は、上面板と下面板とがそれらの両側縁どうしが接合されて端部が開口する筒部を形成し、かつ、上記上面板と下面板には払拭材が取付けられてなり、上記筒部の開口から保持具のヘッド部を挿入して使用する清掃部材であって、上記筒部における少なくとも上記開口の近傍には、この筒部の内部空間を上下に仕切り、当該上下に仕切られた領域のいずれかに上記ヘッド部を挿入して上記保持具に設けられたロック機構によって挟持するための仕切り壁が形成されていることを特徴としている。
【０００８】
本発明の第２の側面によって提供される清掃具は、上面板と下面板とがそれらの両側縁どうしが接合されて端部が開口する筒部を形成し、かつ、上記上面板と下面板には払拭材が取付けられてなる清掃部材と、柄、およびこの柄の先端から板状に延び、上記清掃部材の筒部にその開口から挿入されて上記清掃部材を保持するヘッド部、をもつ保持具と、を備えた清掃具であって、上記清掃部材の上記筒部における少なくとも上記開口の近傍には、この筒部の内部空間を上下に仕切る仕切り壁が形成されている一方、上記保持具には、上記ヘッド部が上記清掃部材の筒部に挿入された状態において、上記仕切り壁を挟持してその移動を阻止することができるロック機構が設けられていることを特徴としている。
【０００９】
このような構成によれば、清掃部材の筒部の内部に仕切り壁が設けられていることにより、仕切り壁によって上下に仕切られた領域のいずれかにヘッド部を挿入し、仕切り壁を挟持するようにロック機構を機能させることにより、清掃部材をその上下面を入れ替えて保持具に対して適確に保持することができる。また、上記ロック機構は、清掃部材の筒部の内部空間に形成された仕切り壁を挟持する構成とされているため、筒部を構成する上面板や下面板を挟持する場合のように上面板や下面板にロック機構により挟持するための特別な部位を設ける必要がなく、上面板や下面板の外周面の全面を払拭面として有効に利用することができる。
【００１０】
好ましい実施の形態においては、上記ロック機構は、上記ヘッド部の基端から二股状に延びる延出片を含み、上記ヘッド部の基端部と上記延出片との間に上記仕切り壁を位置させた状態においてこの仕切り壁を挟持するように構成されている。
【００１１】
ロック機構がヘッド部の基端から二股状に延びる延出片を含む構成によれば、清掃部材の筒部にヘッド部を挿入する際には、ヘッド部のうち延出片に向けられた面が上記仕切り壁に対向するように挿入していけば、ヘッド部の基端部と延出片との間に適切に仕切り壁を位置させ、仕切り壁にロック機構を作用させることができる。
【００１２】
好ましい実施の形態においては、上記ロック機構は、レバーの操作によって上記ヘッド部または上記延出片に向けて押圧され、上記ヘッド部または上記延出片との間に上記仕切り壁を挟持する可動片を備えている。
【００１３】
好ましい実施の形態においては、上記可動片は、上記ヘッド部の基端部に形成したスリット内の基端において横軸を中心として回動可能に配置され、上記レバーの操作によって上記延出片の内面に押圧される。
【００１４】
このような構成によれば、レバーの操作によって、延出片と可動片との間に仕切り壁を適切に挟持することができる。
【００１５】
好ましい実施の形態においては、上記可動片の先端には、上記延出片の内面に向けて突出するフック爪が形成されている。
【００１６】
このような構成によれば、延出片と可動片との間に仕切り壁を挟持する際に、可動片の先端にあるフック爪が仕切り壁に食い込むことにより、仕切り壁をより適確に挟持することができる。
【００１７】
好ましい実施の形態においては、上記可動片は、上記横軸より後方に延出する作動片を備える一方、上記レバーは、第２の横軸を中心として回動可能であるとともに凸部を有し、上記レバーを所定方向に回動操作すると上記凸部が上記作動片を押圧して上記可動片を上記延出片の内面に向けて押圧した状態でロックし、上記レバーを上記所定方向と逆方向に回動操作すると上記凸部の上記作動片に対する押圧状態が解除されるように構成されている。
【００１８】
このような構成によれば、レバーを所定方向に回動操作することにより、可動片が延出片の内面に向けて押圧させられたロック状態に維持される。このため、清掃作業の際には、ロック状態を維持するためにレバーを手で押さえ続ける必要がなく、使い勝手がより良好となる。
【００１９】
本発明のその他の特徴および利点は、添付図面を参照して以下に行う詳細な説明によって、より明らかとなろう。
【発明を実施するための最良の形態】
【００２０】
以下、本発明の好ましい実施の形態について、図面を参照して具体的に説明する。
【００２１】
図１は、本発明に係る清掃具の一例を示す全体斜視図である。本実施形態の清掃具Ａは、清掃部材１と、この清掃部材１を保持する保持具２とを備えており、ハンディタイプのモップとして適用されたものである。
【００２２】
清掃部材１は、本発明に係る清掃部材の一例であり、図１〜図３に示すように、筒部１１と、仕切り壁１２と、筒部１１の周囲に取付けられた複数のひも状素材１３とを備えている。筒部１１は、帯状の２枚の布（上面板１１１および下面板１１２）を重ね合わせ、これらの両側縁どうしを接合することによって細長筒状に形成されたものであり、その長手方向の両端部にそれぞれ開口１１ａを有している。
【００２３】
仕切り壁１２は、たとえば帯状の布などによって構成されており、上面板１１１と下面板１１２との間に設けられている。より具体的には、仕切り壁１２は、図３に表れているように、幅方向の両側縁が上面板１１１および下面板１１２のそれぞれの両側縁に挟まれた状態でこれら上面板１１１および下面板１１２に接合されている。また、この仕切り壁１２は、図２に表れているように、筒部１１の一方の開口１１ａ近傍から他方の開口１１ａ近傍まで形成されている。したがって、この仕切り壁１２によって、筒部１１の内部空間が上下に仕切られている。
【００２４】
ひも状素材１３は、本発明でいう払拭材の一例であり、帯状にした繊維、あるいは複数の糸を撚り合わせたものなどから形成されている。各ひも状素材１３は、筒部１１（上面板１１１および下面板１１２）の外周面の全面に接合されている。なお、図３においては、ひも状素材１３を省略している。
【００２５】
図４〜図６に表れているように、保持具２は、柄２１と、ヘッド部２２と、ロック機構Ｌとを備えて構成されている。柄２１は、使用者が手で握る部分であり、手に馴染み易い外面形状を有している。ヘッド部２２は、柄２１の先端から延びており、所定の幅および長さを有する帯板状とされている。ヘッド部２２には延出片２３が設けられている。延出片２３は、ヘッド部２２の基端から先端に向けて、ヘッド部２２との間に所定の間隔を隔てて二股状に延びるように形成されている。延出片２３の先端部は丸みを帯びている。上記柄２１、ヘッド部２２、および延出片２３は、所定の強度を有する樹脂により一体形成される。
【００２６】
ヘッド部２２の基端部には、先端に向けて延びるスリット２２ａが形成されている。ヘッド部２２の基端部にはまた、可動片２４およびレバー２５が設けられている。ヘッド部２２の先端部は丸みを帯びている。このヘッド部２２の先端部を上記清掃部材１の開口１１ａから筒部１１内の奥深くまで挿入していくことにより、清掃部材１はヘッド部２２に装着保持される。
【００２７】
ロック機構Ｌは、ヘッド部２２と清掃部材１との相対移動を阻止するためのものであり、延出片２３、可動片２４、およびレバー２５を含んで構成されている。
【００２８】
可動片２４は、図６および図７に表れているように、作動片２４１と、軸筒部２４２と、押圧片２４３とを有しており、所定の強度を有する樹脂により一体形成されたものである。この可動片２４は、ヘッド部２２の上記スリット２２ａ内に配置されている。作動片２４１は、軸筒部２４２よりも後方に延出しており、後述するレバー２５の凸部２５３と当接する部分である。作動片２４１の上面には、凸部２４１ａが形成されている。軸筒部２４２は、可動片２４の基端寄りに位置しており、ヘッド部２２の基端部においてその幅方向に沿うように設けられた回動軸２２１に対して、僅かな隙間を介して外嵌されている。これにより、可動片２４は、ヘッド部２２に対して回動軸２２１を中心として回動可能に支持されている。押圧片２４３は、軸筒部２４２よりも前方に延出しており、延出片２３と対向するように配置されている。押圧片２４３の先端には、延出片２３の内面に向けて突出するフック爪２４３ａが形成されている。
【００２９】
レバー２５は、操作部２５１と、軸筒部２５２と、凸部２５３とを有しており、所定の強度を有する樹脂により一体形成されている。軸筒部２５２は、上記回動軸２２１よりもヘッド部２２の基端縁寄りに設けられ、かつ回動軸２２１と平行な回動軸２２２に対して、僅かな隙間を介して外嵌されている。これにより、レバー２５は、ヘッド部２２に対して回動軸２２２を中心として回動可能に支持されている。凸部２５３は、レバー２５の回動にともなって作動片２４１の凸部２４１ａと当接しうる部分である。凸部２５３の中央には、凹溝２５３ａが形成されている。
【００３０】
かかる構成のロック機構Ｌにおいては、図８に示すように、操作部２５１を引き上げるようにしてレバー２５を回動軸２２２周りに反時計回りに回動させると、凸部２５３が作動片２４１の凸部２４１ａと当接し、それにともない可動片２４が回動軸２２１周りに時計回りに回動してフック爪２４３ａが延出片２３の内面に当接する。ここで、所定以上の力で操作部２５１を引き上げると、図９に示すように、可動片２４ないしレバー２５が弾性変形しつつ、凸部２５３は、作動片２４１の凸部２４１ａに摺接して凹溝２５３ａと係合する。このとき、可動片２４の弾性力により、凸部２５３が作動片２４１を押圧し、かつ、フック爪２４３ａ（押圧片２４３）が延出片２３の内面を押圧する状態が維持されており、いわゆるロック状態にある。一方、このロック状態において操作部２５１を所定以上の力で押し下げると、凸部２４１ａと凹溝２５３ａとの係合が外れ、凸部２５３の作動片２４１に対する押圧状態が解除される。
【００３１】
次に、上記構成の清掃具Ａの作用について説明する。
【００３２】
この清掃具Ａを用いて清掃作業を行う際には、あらかじめ清掃部材１を保持具２に装着しておくとともに、ロック機構Ｌをロック状態にしておく。保持具２に対する清掃部材１の装着は、仕切り壁１２と下面板１１２との間、または仕切り壁１２と上面板１１１との間に、ヘッド部２２を挿入することにより行う。このとき、ヘッド部２２のうち延出片２３に向けられた内面が仕切り壁１２に対向するように挿入すれば、ヘッド部２２と延出片２３との間に仕切り壁１２を位置させることができる。そして、この状態でロック機構Ｌをロック状態にすると、仕切り壁１２は、延出片２３と、可動片２４のフック爪２４３ａとの間に挟持される。なお、図２および図３においては、仕切り壁１２と下面板１１２との間にヘッド部２２が挿入されている。この場合、清掃作業は、清掃部材１の下面板１１２側を清掃対象物に擦り付けて行う。このとき、清掃部材２を清掃対象物に強く擦りつけたり、あるいは手の届かない狭い場所に清掃部材１を差し込んだりしても、清掃部材１が保持具２から不当にずれるといった不都合は生じない。
【００３３】
本実施形態の清掃具Ａにおいては、清掃部材１の筒部１１の内部に仕切り壁１２が設けられていることにより、仕切り壁１２によって上下に仕切られた領域（仕切り壁１２と下面板１１２との間、および仕切り壁１２と上面板１１１との間）のいずれかにヘッド部２２を挿入し、仕切り壁１２を挟持するようにロック機構Ｌを機能させることにより、清掃部材１をその上下面を入れ替えて保持具２に対して適確に保持することができる。すなわち、図２に表れている場合とは異なり、清掃部材１の上面板１１１と仕切り壁１２との間に保持具２のヘッド部２２を挿入することも可能であり、さらにロック機構Ｌを適切に機能させることができるので、使い勝手が良好である。
【００３４】
また、本実施形態のロック機構Ｌは、清掃部材１の筒部１１の内部空間に形成された仕切り壁１２を挟持する構成とされているため、筒部１１を構成する上面板１１１や下面板１１２を挟持する場合のように上面板１１１や下面板１１２にロック機構Ｌにより挟持するための特別な部位を設ける必要がない。したがって、上面板１１１や下面板１１２の外周面の全面を、ひも状素材１３が取り付けられた払拭面として有効に利用することができる。
【００３５】
本実施形態のロック機構Ｌによれば、レバー２５の操作によって延出片２３と可動片２４との間に仕切り壁１２を挟持することができる。このような簡単な操作によってロック機構Ｌをロック状態にすることができ、仕切り壁１２を適切に挟持することができる。また、可動片２４の先端にはフック爪２４３ａが形成されている。これにより、図２に表れているように、ロック状態にあるときには当該フック爪２４３ａが仕切り壁１２に適度に食い込むことにより、仕切り壁１２をより適確に挟持することができる。
【００３６】
加えて、ロック機構Ｌにおいては、レバー２５の操作部２５１を所定以上の力で引き上げるように回動操作することにより、レバー２５の凹溝２５３ａと可動片２４の凸部２４１ａとが係合し、可動片２４のフック爪２４３ａが延出片２３の内面に向けて押圧されたロック状態に維持される。これにより、清掃作業時には、ロック状態を維持するためにレバー２５を手で押さえ続ける必要がなく、使い勝手がより良好となる。
【００３７】
さらに、本実施形態においては、仕切り壁１２は、筒部１１の一方の端部の開口１１ａ近傍から他方の端部の開口１１ａ近傍まで形成されている。このため、ヘッド部２２を筒部１１内に挿入する際に筒部１１両端の開口１１ａのいずれを通じて挿入しても、ロック機構Ｌを適切に機能させることが可能であり、使い勝手が良好である。
【００３８】
以上、本発明の具体的な実施形態を説明したが、本発明はこれに限定されるものではなく、発明の思想から逸脱しない範囲内で種々な変更が可能である。本発明に係る清掃部材および清掃具の各部の具体的な形状や材質なども、上記実施形態に限定されるものではない。
【００３９】
たとえば、上記実施形態において、仕切り壁１２は筒部１１内の一方の開口近傍から他方の開口近傍にかけて形成されているが、これに限定されるものではない。仕切り壁としては、ロック機構によって挟持され得るように、少なくとも筒部の開口近傍に形成されていればよい。
【００４０】
上記実施形態における清掃具Ａはハンディタイプの構成例を示しており、保持具２の柄２１の長さが比較的短いものとされているが、本発明は長尺な柄を有する清掃具に適用してもよい。
【００４１】
また、本発明でいう払拭材としては、上記実施形態のようなひも状素材に限定されるものではない。清掃に適したものであれば、たとえば不織布などからなるシート材を用いてもよい。
【図面の簡単な説明】
【００４２】
【図１】本発明に係る清掃具の一例を示す全体斜視図である。
【図２】図１のＩＩ−ＩＩ線に沿う断面図である。
【図３】図２のＩＩＩ−ＩＩＩ線に沿う断面図である。
【図４】図１に示す清掃具の構成部材である保持具の平面図である。
【図５】図４に示す保持具の側面図である。
【図６】図４に示す保持具の底面図である。
【図７】図４のＶＩＩ−ＶＩＩ線に沿う断面図である。
【図８】ロック機構が操作途中の状態である図７と同様の図である。
【図９】ロック機構がロック状態である図７と同様の図である。
【符号の説明】
【００４３】
Ａ        清掃具
Ｌ        ロック機構
１        清掃部材
２        保持具
１１      筒部
１１ａ    開口
１１１    上面板
１１２    下面板
１２      仕切り壁
１３      ひも状素材（払拭材）
２１      柄
２２      ヘッド部
２２ａ    スリット
２２１    回動軸（横軸）
２２２    回動軸（第２の横軸）
２３      延出片
２４      可動片
２４１    作動片
２４３ａ  フック爪
２５      レバー
２５３    凸部
【図１】
0005114231.tif 000002
【図２】
0005114231.tif 000003
【図３】
0005114231.tif 000004
【図４】
0005114231.tif 000005
【図５】
0005114231.tif 000006
【図６】
0005114231.tif 000007
【図７】
0005114231.tif 000008
【図８】
0005114231.tif 000009
【図９】
0005114231.tif 000010